(57)【要約】【課題】光エネルギーを効果的に節約し且つ携帯式電子装置の小型化を促進できる導光アセンブリを提供すること。【解決手段】本発明に係る導光アセンブリは、導光板及び光源を備えている。前記導光板は、一体に連接されている表示パネル部導光エリア及びキーボード部導光エリアに分けられる。前記表示パネル部導光エリアには、前記光源を装着するための収容凹所が設けられている。前記導光アセンブリが動作する時に、前記光源が発する光線は前記表示パネル部導光エリアを通過して前記キーボード部導光エリアに導かれる。前記キーボード部導光エリアの背面には、光線の輝度及び均一度を高めるための複数の光学ドットが設けられている。【選択図】図２
2012028323.tif 000002
【特許請求の範囲】
【請求項１】
導光板及び光源を備えた導光アセンブリにおいて、
前記導光板は、一体に連接されている表示パネル部導光エリア及びキーボード部導光エリアに分けられ、前記表示パネル部導光エリアには、前記光源を装着するための収容凹所が設けられており、
前記導光アセンブリが動作する時に、前記光源が発する光線は、前記表示パネル部導光エリアを通過して前記キーボード部導光エリアに導かれ、前記キーボード部導光エリアの背面には、光線の輝度及び均一度を高めるための複数の光学ドットが設けられていることを特徴とする導光アセンブリ。
【請求項２】
前記導光アセンブリは、光拡散機能を有する薄膜をさらに備え、
前記薄膜は、前記キーボード部導光エリアにおいて前記光学ドットが設けられた表面の反対側の表面に貼着されることを特徴とする請求項１に記載の導光アセンブリ。
【請求項３】
前記収容凹所は、複数の突起が形成されている側壁を有し、前記光源は、複数の前記突起に対向するように装着されていることを特徴とする請求項１又は２に記載の導光アセンブリ。
【請求項４】
前記導光板における光源から遠く離れている箇所の光学ドットの密度は、前記光源に近い箇所の光学ドットの密度より大きいことを特徴とする請求項１から３の何れか一項に記載の導光アセンブリ。
【請求項５】
前記導光板の片側には、前記表示パネル部導光エリアの周囲を取囲むように形成されたフレームを有し、前記フレームによって液晶表示パネルを収納するための収容空間が形成されることを特徴とする請求項１から４の何れか一項に記載の導光アセンブリ。
【発明の詳細な説明】
【技術分野】
【０００１】
本発明は、導光アセンブリに関し、特に携帯式電子装置に用いられる導光アセンブリに関するものである。
【背景技術】
【０００２】
携帯電話等の携帯式電子装置において、液晶表示パネル及びキーボードは、それぞれ各自のバックライトモジュールから光源を獲得する。通常、液晶表示パネルのバックライトモジュールの導光板及びキーボードのバックライトモジュールの導光板に対向してそれぞれ複数の発光ダイオード（ｌｉｇｈｔ−ｅｍｉｔｔｉｎｇ  ｄｉｏｄｅ，ＬＥＤ）を設けて、前記液晶表示パネル及び前記キーボードに光線をそれぞれ提供する。しかし、このような構造は、多くのＬＥＤ光源を必要とし、コストアップとなり、携帯式電子装置の小型化が阻害された。
【発明の概要】
【発明が解決しようとする課題】
【０００３】
そこで、本発明は上記の問題点を考慮した上で、光エネルギーを効果的に節約し且つ携帯式電子装置の小型化を促進できる導光アセンブリを提供することを目的とする。
【課題を解決するための手段】
【０００４】
上記の目的を達成するために、本発明に係る導光アセンブリは、導光板及び光源を備えている。前記導光板は、一体に連接されている表示パネル部導光エリア及びキーボード部導光エリアに分けられる。前記表示パネル部導光エリアには、前記光源を装着するための収容凹所が設けられている。前記導光アセンブリが動作する時に、前記光源が発する光線は前記表示パネル部導光エリアを通過して前記キーボード部導光エリアに導かれる。前記キーボード部導光エリアの背面には、光線の輝度及び均一度を高めるための複数の光学ドットが設けられている。
【発明の効果】
【０００５】
従来の技術と比較すると、本発明の導光アセンブリの導光板は、表示パネル部導光エリア及びキーボード部導光エリアに分けられる。即ち、携帯式電子装置の液晶表示パネル及びキーボードモジュールは、１つの導光板を共用する。光源が発する光線は、前記導光板を介して前記表示パネル部導光エリアから前記キーボード部導光エリアに導かれて、液晶表示パネル及びキーボードモジュールに同時に光線を提供する。これにより、光エネルギーを効果的に節約し、製造コストも低減されることができる。
【図面の簡単な説明】
【０００６】
【図１】本発明に係る導光アセンブリの立体斜視図である。
【図２】図１に示した導光アセンブリの分解図である。
【図３】図２に示した導光アセンブリを別の視点から見た分解図である。
【図４】図２に示したＩＶ部の拡大図である。
【発明を実施するための形態】
【０００７】
本発明の実施形態に係る導光アセンブリは、携帯電話及び個人用携帯情報端末（ＰＤＡ）等の携帯式電子装置の液晶表示パネル及びキーボードモジュールに同時に光線を提供する。以下、図面を参照しながら本発明の実施形態について詳細に説明する。
【０００８】
図１に示したように、本発明に係る導光アセンブリ１００は、導光板１０、光源２０、フレキシブル回路基板３０及び薄膜４０を備える。前記薄膜４０は、前記導光板１０の片側の表面に貼着される。前記光源２０は、前記フレキシブル回路基板３０に接続されている。前記光源２０が発する光線は、前記導光板１０内に入射される。
【０００９】
図２に示したように、前記導光板１０は、ポリメタクリル酸メチル（ＰＭＭＡ）或いはポリカーボネート（ＰＣ）等の光透過性の材料からなる。前記導光板１０には、その一部を取囲むように形成された略正方形のフレーム１２２が設けられており、これによって前記導光板１０は、表示パネル部導光エリア１２及びキーボード部導光エリア１６という２つの部分に別けられる。前記フレーム１２２が前記導光板１０の一部を取囲むことによって、液晶表示パネルを収納して固定するための収容空間１２３が形成される。本実施形態において、前記フレーム１２２の材料はゴム等の不透明な材料からなる。
【００１０】
前記表示パネル部導光エリア１２は、携帯式電子装置の液晶表示パネルのバックライトとなる。前記表示パネル部導光エリア１２の片隅には、前記光源２０を装着するための収容凹所１２４（図４を参照）が設けられている。
【００１１】
図３に示したように、前記キーボード部導光エリア１６は、携帯式電子装置のキーボードモジュールのバックライトとなる。また、前記キーボード部導光エリア１６は、対向して配置される第一表面１６２及び第二表面１６４を備える。前記キーボード部導光エリア１６には、押しボタンの位置に対応する複数の貫通穴１６６が設けられている。前記光源２０が発する光線は、前記貫通穴１６６を通過してその上に装着される押しボタンを明るく照射する。また、前記キーボード部導光エリア１６の第一表面１６２には、ドット印刷或いは射出成形によって複数の光学ドット１６８が形成されている。本実施形態において、前記光学ドット１６８はすべて突状物であり、二酸化チタン或いは硫酸バリウム等の高反射率を有し且つ光を吸収しない材料からなる。前記光学ドット１６８に照射された光線は、前記光学ドット１６８により乱反射されて均一になってから前記第二表面１６４から出射する。これにより、前記キーボード部導光エリア１６の光線の輝度及び均一度が向上される。前記光学ドット１６８の前記第一表面１６２における分布は、実際の要求に応じて変更されることができる。例えば、前記第一表面１６２の光源２０から遠い箇所では、より多くの光学ドット１６８を設け、前記第一表面１６２の光源２０に近い箇所では、より少ない光学ドット１６８を設けることができる。
【００１２】
図４に示したように、前記収容凹所１２４は、側壁１２６を有する。前記側壁１２６には、鋸歯状に配列されている複数の突起１２８が設けられる。前記光源２０は、発光ダイオード（ＬＥＤ）であり、且つ前記側壁１２６上の突起１２８に向き合うように前記収容凹所１２４内に装着される。各突起１２８は、半楕円状を呈して、前記光源２０からの光線を屈折させてから、前記導光板１０により導かれて、均一な面光源を得ている。
【００１３】
前記フレキシブル回路基板３０は、前記表示パネル部導光エリア１２の一端に装着され、且つ前記光源２０に電気的に接続されて前記光源２０を発光するか否かをコントロールする。
【００１４】
前記薄膜４０は、前記キーボード部導光エリア１６の第二表面１６４に貼着される。本実施形態において、前記薄膜４０は、光拡散性を有し、ポリカーボネート（ＰＣ）、ポリスチレン（ＰＳ）及びスチレン・メタクリル酸メチル（Ｍｅｔｈｙｌ  ｍｅｔｈａｃｒｙｌａｔｅ−ｓｔｙｒｅｎｅ，ＭＳ）の混合物からなる。前記薄膜４０は、その構成成分の屈折率の相違により光拡散の目的を達成することができ、前記導光板１０から入射した光線の分布及び輝度を均一化する。
【００１５】
前記導光アセンブリ１００が動作する時に、前記光源２０が発する光線は、前記収容凹所１２４の側壁１２６上の突起１２８によって屈折されて前記導光板１０内に入射される。このとき、一部の光線は前記表示パネル部導光エリア１２に入って液晶表示パネルに光線を提供し、もう一部の光線は前記キーボード部導光エリア１６に入って前記第一表面１６２の光学ドット１６８によって均一に拡散されてから前記第二表面１６４から出射する。
【００１６】
また、前記フレーム１２２は、ゴム等の不透明な材料からなり、且つ二色射出成形により前記導光板１０に一体成型される。前記光源２０が発する光線は、前記フレーム１２２から漏れることがなく、光エネルギーを効率よく利用することができる。
【００１７】
また、前記突起１２８及び前記光学ドット１６８の形状は、上記の実施形態に記載した形状のみに限定されるものではなく、例えば、前記突起１２８を錘状にし、前記光学ドット１６８を半球状の凹部にすることもできる。
【００１８】
また、前記突起１２８は、前記光源２０の位置に基づいて、前記収容凹所１２４の他の側壁に形成されることも可能である。
【００１９】
本発明に係る導光アセンブリ１００の導光板１０は、表示パネル部導光エリア１２及びキーボード部導光エリア１６に分けられる。即ち、本発明の携帯式電子装置の液晶表示パネル及びキーボードモジュールは、１つの導光板１０を共用する。前記表示パネル部導光エリア１２の片隅に設けられている光源２０が発する光線は、前記導光板１０の表示パネル部導光エリア１２を通過して前記キーボード部導光エリア１６まで導かれることができ、同時にキーボードモジュールのバックライトとして機能する。これにより、前記導光板１０のキーボード部導光エリア１６に対応して別途に光源を設ける必要がなく、製造コストを効果的に低減できる。同時に、前記導光板１０のキーボード部導光エリア１６の上面及び背面にはそれぞれ、光線を拡散するための薄膜４０及び光学ドット１６８が設けられているので、光線はより均一になる。
【００２０】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることはいうまでもない。
【符号の説明】
【００２１】
１０              導光板
１２              表示パネル部導光エリア
１６              キーボード部導光エリア
２０              光源
３０              フレキシブル回路基板
４０              薄膜
１００            導光アセンブリ
１２２            フレーム
１２３            収容空間
１２４            収容凹所
１２６            側壁
１２８            突起
１６２            第一表面
１６４            第二表面
１６６            貫通穴
１６８            光学ドット
【図１】
2012028323.tif 000003
【図２】
2012028323.tif 000004
【図３】
2012028323.tif 000005
【図４】
2012028323.tif 000006